(57)【要約】      （修正有）【課題】ケーブルを電気コネクタに接続する作業を単純化することのできる電気コネクタを提供する。【解決手段】前方に開放されたケーブル収容部１１１、及びケーブル収容部１１１の後方に配置されるターミナル固定部１１２を備えるハウジング１１０と、ターミナル固定部１１２に装着され、ケーブル収容部１１１の底面から突出する接続部１２２ａを備えるターミナル１２０と、ターミナル固定部１１２を覆うように配置される閉状態とターミナル固定部１１２を露出させる開状態間で回転可能に形成されるアクチュエータ１３０とを含み、アクチュエータ１３０は、アクチュエータボディと、閉状態で少なくとも一部が接続部１２２ａと横方向に重なるように配置され、閉状態でケーブル収容部１１１に挿入されるケーブル１０により加圧されて回転して開状態になるように作用するコンタクト部１３３とを含む。【選択図】図８
0003233207.tif 000002
【実用新案登録請求の範囲】
【請求項１】
前方に開放されたケーブル収容部、及び前記ケーブル収容部の後方に配置されるターミナル固定部を備えるハウジングと、
前記ターミナル固定部に装着され、前記ケーブル収容部の底面から突出する接続部を備えるターミナルと、
前記ハウジングの両側に形成されたフック固定部に装着され、前記ハウジングと共に閉ループ状の支持軸収容部を規定するフックと、
前記ターミナル固定部を覆うように配置される閉状態と前記ターミナル固定部を露出させる開状態間で回転可能に形成されるアクチュエータとを含み、
前記アクチュエータは、
アクチュエータボディと、
前記アクチュエータボディの左右両側から突設され、前記支持軸収容部に収容される支持軸と、
前記閉状態で少なくとも一部が前記接続部と横方向に重なるように配置され、前記閉状態で前記ケーブル収容部に挿入されるケーブルにより加圧されて回転して前記開状態になるように作用するコンタクト部とを含み、
前記アクチュエータが前記閉状態から前記開状態に切り替えられる際に、前記支持軸は、前記支持軸収容部の一側から他側に移動することを特徴とする電気コネクタ。
【請求項２】
前記コンタクト部は、前記アクチュエータボディの左右両側にそれぞれ形成され、前記ターミナルの外側に配置されることを特徴とする請求項１に記載の電気コネクタ。
【請求項３】
前記アクチュエータは、前記接続部と横方向に交互に配置され、前記閉状態で前記ケーブルを前記接続部に向けて加圧するように形成される加圧部をさらに含み、
前記コンタクト部は、前記加圧部の左右両側にそれぞれ配置されることを特徴とする請求項２に記載の電気コネクタ。
【請求項４】
前記ターミナルは、
前記ターミナル固定部に装着される固定部と、
前記固定部の下部から前方に延び、前記接続部を備える下部アームと、
前記固定部の上部から前方に延びる上部アームと、
前記固定部から後方に延びて回路基板に実装されるリード部とを含み、
前記ハウジングには、前記上部アームの端部が挿入される収容凹部が形成されることを特徴とする請求項１に記載の電気コネクタ。
【請求項５】
前記アクチュエータは、前記支持軸間に配置されて前記上部アームに覆われる軸部をさらに含み、
前記アクチュエータが前記閉状態から前記開状態に切り替えられる際に、前記軸部は、前記上部アームの前端部から後方に移動することを特徴とする請求項４に記載の電気コネクタ。
【請求項６】
前記上部アームは、
前記固定部から前方に延びる延長部と、
前記延長部から上方及び前方に屈曲され、前記接続部の上方に線状に延びる延長面が形成された屈曲部とを備え、
前記アクチュエータが前記閉状態から前記開状態に切り替えられる際に、前記軸部は、前記延長面に沿って移動することを特徴とする請求項５に記載の電気コネクタ。
【請求項７】
前記アクチュエータが所定角度回転すると、前記軸部は、前記屈曲部に係止されることを特徴とする請求項６に記載の電気コネクタ。
【請求項８】
前記フックは、
前記フック固定部に挿入されるフックボディと、
前記フックボディから延びて前記支持軸収容部内に位置する前記支持軸を覆うように配置され、端部が前記ハウジングの固定凹部に挿入される延長アームとを含み、
前記延長アームの一部は、前記ハウジングの上側から露出することを特徴とする請求項１に記載の電気コネクタ。
【請求項９】
前記アクチュエータは、前記アクチュエータボディの左右両側から突設され、前記閉状態で前記ハウジングの係止凹部に挿入される係止突起をさらに含むことを特徴とする請求項１に記載の電気コネクタ。
【請求項１０】
前記アクチュエータの閉状態で、前記コンタクト部が前記ケーブル収容部に挿入されるケーブルにより加圧されると、前記係止突起は、前記係止凹部から分離されることを特徴とする請求項９に記載の電気コネクタ。
【請求項１１】
前記ケーブル収容部の底面から前記コンタクト部までの間隙は、前記ケーブルの前端部の厚さより薄いことを特徴とする請求項１に記載の電気コネクタ。
【請求項１２】
前記コンタクト部は、前記接続部と横方向に交互に配置され、前記アクチュエータの閉状態で前記ケーブルを前記接続部に向けて加圧するように形成されることを特徴とする請求項１に記載の電気コネクタ。
【請求項１３】
前記コンタクト部は、前記アクチュエータの閉状態で前記ケーブルの左右両側に形成されたロック溝に挿入され、前記ターミナルの外側に配置されることを特徴とする請求項１に記載の電気コネクタ。
【請求項１４】
前方に開放されたケーブル収容部、及び前記ケーブル収容部の後方に配置されるターミナル固定部を備えるハウジングと、
前記ターミナル固定部に装着され、前記ケーブル収容部の底面から突出する接続部を備えるターミナルと、
前記ハウジングの両側に形成されたフック固定部に装着され、前記ハウジングと共に支持軸収容部を規定するフックと、
前記ターミナル固定部を覆うように配置される閉状態と前記ターミナル固定部を露出させる開状態間で回転可能に形成されるアクチュエータとを含み、
前記アクチュエータは、
アクチュエータボディと、
前記アクチュエータボディの左右両側から突設され、前記支持軸収容部に収容される支持軸と、
前記閉状態で前記支持軸より下側に位置し、前記閉状態で前記ケーブル収容部に挿入されるケーブルにより加圧されて回転して前記開状態になるように作用するコンタクト部とを含み、
前記ケーブル収容部の底面から前記コンタクト部までの間隙は、前記ケーブルの前端部の厚さより薄いことを特徴とする電気コネクタ。
【請求項１５】
前方に開放されたケーブル収容部、及び前記ケーブル収容部の後方に配置されるターミナル固定部を備えるハウジングと、
前記ターミナル固定部に装着され、前記ケーブル収容部の底面から突出する接続部を備えるターミナルと、
前記ターミナル固定部を覆うように配置される閉状態と前記ターミナル固定部を露出させる開状態間で回転可能に形成されるアクチュエータとを含み、
前記アクチュエータは、
アクチュエータボディと、
前記閉状態で少なくとも一部が前記接続部と横方向に重なるように配置され、前記閉状態で前記ケーブル収容部に挿入されるケーブルにより加圧されて回転して前記開状態になるように作用するコンタクト部とを含むことを特徴とする電気コネクタ。
【考案の詳細な説明】
【技術分野】
【０００１】
本考案は、ケーブルと回路基板を電気的に接続して電気回路を構成する電気コネクタに関する。
【背景技術】
【０００２】
電子機器には、複数の電子素子が備えられ、互いに離隔して配置された電子素子を電気的に接続するために、軟質のフレキシブルフラットケーブル（Flexible Flat Cable: FFC）やフレキシブルプリント回路（Flexible Printed Circuit: FPC）などが広く用いられている。フレキシブルフラットケーブル及びフレキシブルプリント回路（以下、「ケーブル」と通称する）は、その前端部に複数の端子が幅方向に並んで配列された構造を有する。このようなケーブルは、回路基板に実装された電気コネクタに挿脱可能に接続され、電気コネクタを介して回路基板に電気的に接続される。
【０００３】
通常、ケーブルを電気コネクタに接続する作業は手作業で行われる。この作業は、閉じたアクチュエータを回転させて開く第１過程、ケーブルを電気コネクタに挿入する第２過程、及びアクチュエータを閉じてケーブルを固定する第３過程の３つの過程からなる。
【０００４】
このような３つの過程のうち、閉じたアクチュエータを回転させて開く第１過程は、電気コネクタが出荷される際にアクチュエータが閉じた状態で出荷されることに起因するものであり、ケーブルを電気コネクタに挿入する第２過程を行うための過程である。しかし、この過程は、作業速度の面で、ケーブルを電気コネクタに接続する作業全体を遅延させる要因として作用する。
【考案の概要】
【考案が解決しようとする課題】
【０００５】
本考案の第１の目的は、ケーブルを電気コネクタに接続する作業を単純化することのできる電気コネクタを提供することにある。
【０００６】
本考案の第２の目的は、ケーブルを電気コネクタに接続する過程でケーブルの端子部の損傷を最小限に抑えることのできる電気コネクタを提供することにある。
【課題を解決するための手段】
【０００７】
本考案の第１の目的を達成するために、本考案は、前方に開放されたケーブル収容部、及び前記ケーブル収容部の後方に配置されるターミナル固定部を備えるハウジングと、前記ターミナル固定部に装着され、前記ケーブル収容部の底面から突出する接続部を備えるターミナルと、前記ターミナル固定部を覆うように配置される閉状態と前記ターミナル固定部を露出させる開状態間で回転可能に形成されるアクチュエータとを含み、前記アクチュエータは、アクチュエータボディと、前記閉状態で少なくとも一部が前記接続部と横方向に重なるように配置され、前記閉状態で前記ケーブル収容部に挿入されるケーブルにより加圧されて回転して前記開状態になるように作用するコンタクト部とを含む、電気コネクタを開示する。
【０００８】
また、本考案の第１の目的は、前方に開放されたケーブル収容部、及び前記ケーブル収容部の後方に配置されるターミナル固定部を備えるハウジングと、前記ターミナル固定部に装着され、前記ケーブル収容部の底面から突出する接続部を備えるターミナルと、前記ハウジングの両側に形成されたフック固定部に装着され、前記ハウジングと共に支持軸収容部を規定するフックと、前記ターミナル固定部を覆うように配置される閉状態と前記ターミナル固定部を露出させる開状態間で回転可能に形成されるアクチュエータとを含み、前記アクチュエータは、アクチュエータボディと、前記アクチュエータボディの左右両側から突設され、前記支持軸収容部に収容される支持軸と、前記閉状態で前記支持軸より下側に位置し、前記閉状態で前記ケーブル収容部に挿入されるケーブルにより加圧されて回転して前記開状態になるように作用するコンタクト部とを含み、前記ケーブル収容部の底面から前記コンタクト部までの間隙は、前記ケーブルの前端部の厚さより薄い、電気コネクタによっても達成することができる。
【０００９】
本考案の第２の目的を達成するために、本考案は、前方に開放されたケーブル収容部、及び前記ケーブル収容部の後方に配置されるターミナル固定部を備えるハウジングと、前記ターミナル固定部に装着され、前記ケーブル収容部の底面から突出する接続部を備えるターミナルと、前記ハウジングの両側に形成されたフック固定部に装着され、前記ハウジングと共に閉ループ状の支持軸収容部を規定するフックと、前記ターミナル固定部を覆うように配置される閉状態と前記ターミナル固定部を露出させる開状態間で回転可能に形成されるアクチュエータとを含み、前記アクチュエータは、アクチュエータボディと、前記アクチュエータボディの左右両側から突設され、前記支持軸収容部に収容される支持軸と、前記閉状態で少なくとも一部が前記接続部と横方向に重なるように配置され、前記閉状態で前記ケーブル収容部に挿入されるケーブルにより加圧されて回転して前記開状態になるように作用するコンタクト部とを含み、前記アクチュエータが前記閉状態から前記開状態に切り替えられる際に、前記支持軸は、前記支持軸収容部の一側から他側に移動する、電気コネクタを開示する。
【００１０】
本考案の一例によれば、前記コンタクト部は、前記アクチュエータボディの左右両側にそれぞれ形成され、前記ターミナルの外側に配置されるようにしてもよい。
【００１１】
前記アクチュエータは、前記接続部と横方向に交互に配置され、前記閉状態で前記ケーブルを前記接続部に向けて加圧するように形成される加圧部をさらに含み、前記コンタクト部は、前記加圧部の左右両側にそれぞれ配置されるようにしてもよい。
【００１２】
前記ターミナルは、前記ターミナル固定部に装着される固定部と、前記固定部の下部から前方に延び、前記接続部を備える下部アームと、前記固定部の上部から前方に延びる上部アームと、前記固定部から後方に延びて回路基板に実装されるリード部とを含み、前記ハウジングには、前記上部アームの端部が挿入される収容凹部が形成されるようにしてもよい。
【００１３】
前記アクチュエータは、前記支持軸間に配置されて前記上部アームに覆われる軸部をさらに含み、前記アクチュエータが前記閉状態から前記開状態に切り替えられる際に、前記軸部は、前記上部アームの前端部から後方に移動するようにしてもよい。
【００１４】
前記上部アームは、前記固定部から前方に延びる延長部と、前記延長部から上方及び前方に屈曲され、前記接続部の上方に線状に延びる延長面が形成された屈曲部とを備え、前記アクチュエータが前記閉状態から前記開状態に切り替えられる際に、前記軸部は、前記延長面に沿って移動するようにしてもよい。
【００１５】
前記アクチュエータが所定角度回転すると、前記軸部は、前記屈曲部に係止されるようにしてもよい。
【００１６】
前記フックは、前記フック固定部に挿入されるフックボディと、前記フックボディから延びて前記支持軸収容部内に位置する前記支持軸を覆うように配置され、端部が前記ハウジングの固定凹部に挿入される延長アームとを含み、前記延長アームの一部は、前記ハウジングの上側から露出するようにしてもよい。
【００１７】
前記アクチュエータは、前記アクチュエータボディの左右両側から突設され、前記閉状態で前記ハウジングの係止凹部に挿入される係止突起をさらに含むようにしてもよい。
【００１８】
前記アクチュエータの閉状態で、前記コンタクト部が前記ケーブル収容部に挿入されるケーブルにより加圧されると、前記係止突起は、前記係止凹部から分離されるようにしてもよい。
【００１９】
前記ケーブル収容部の底面から前記コンタクト部までの間隙は、前記ケーブルの前端部の厚さより薄くなるようにしてもよい。
【００２０】
本考案の他の例によれば、前記コンタクト部は、前記接続部と横方向に交互に配置され、前記アクチュエータの閉状態で前記ケーブルを前記接続部に向けて加圧するように形成されるようにしてもよい。
【００２１】
本考案のさらに他の例によれば、前記コンタクト部は、前記アクチュエータの閉状態で前記ケーブルの左右両側に形成されたロック溝に挿入され、前記ターミナルの外側に配置されるようにしてもよい。
【考案の効果】
【００２２】
上記解決手段により得られる本考案の効果は次の通りである。
【００２３】
第一に、アクチュエータが閉じた状態でケーブルをケーブル収容部に挿入すると、支持軸の下側に位置するコンタクト部がケーブルにより加圧され、アクチュエータが開く方向にトークが作用する。すなわち、上記構造によれば、ケーブルをケーブル収容部に挿入する過程で、閉じたアクチュエータが回転して開きながらケーブルがケーブル収容部に挿入されるので、ケーブルを電気コネクタに接続する作業がより単純化され、作業速度が向上する。
【００２４】
第二に、ケーブルをケーブル収容部に挿入する過程で、アクチュエータが所定の範囲内で後方に押し出されながら回転するので、ケーブルをケーブル収容部に挿入する過程で、ターミナルとアクチュエータとの干渉により発生し得るケーブルの端子部の損傷が最小限に抑えられる。
【図面の簡単な説明】
【００２５】
【図１】本考案の一実施形態による電気コネクタを一方向から見た斜視図であり、アクチュエータが閉じた状態を示す。
【図２】本考案の一実施形態による電気コネクタを他の方向から見た斜視図であり、アクチュエータが閉じた状態を示す。
【図３】図１に示す電気コネクタのアクチュエータが開いた状態を示す斜視図である。
【図４】図２に示す電気コネクタのアクチュエータが開いた状態を示す斜視図である。
【図５】図３に示す電気コネクタの平面図である。
【図６】図４に示す電気コネクタの分解斜視図である。
【図７】図１に示す電気コネクタの正面図である。
【図８】ケーブルが電気コネクタに接続される過程を概念的に示す、図７のＡ−Ａ線断面図である。
【図９】ケーブルがケーブル収容部に挿入される過程でアクチュエータが後退するメカニズムを概念的に示す、図４のＢ−Ｂ線断面図である。
【図１０】本考案の他の実施形態による電気コネクタの正面図である。
【図１１】本考案のさらに他の実施形態による電気コネクタの正面図である。
【図１２】ケーブルが電気コネクタに接続される過程を概念的に示す、図１１のＣ−Ｃ線断面図である。
【考案を実施するための形態】
【００２６】
以下、添付図面を参照して、本考案による電気コネクタについてより詳細に説明する。
【００２７】
本明細書においては、異なる実施形態であっても同一又は類似の構成については同一又は類似の符号を付し、それについての重複する説明は省略する。
【００２８】
本考案の実施形態について説明するにあたり、関連する公知技術についての具体的な説明が本考案の実施形態の要旨を不明にすると判断される場合は、その詳細な説明を省略する。
【００２９】
添付図面は本考案の実施形態の理解を助けるためのものにすぎず、添付図面により本考案の技術的思想が限定されるものではなく、本考案の思想及び技術範囲に含まれるあらゆる変更、均等物乃至代替物を含むものと理解すべきである。
【００３０】
以下の説明において、単数の表現には、特に断らない限り複数の表現が含まれる。
【００３１】
本明細書において、「含む」や「有する」などの用語は、本明細書に記載された特徴、数字、段階、動作、構成要素、部品又はそれらの組み合わせが存在することを指定しようとするもので、１つ又はそれ以上の他の特徴、数字、段階、動作、構成要素、部品又はそれらの組み合わせの存在や付加可能性を予め排除するものではないと理解すべきである。
【００３２】
図１及び図２は、本考案の一実施形態による電気コネクタ１００を異なる方向から見た斜視図であり、アクチュエータ１３０が閉じた状態を示す。図３は、図１に示す電気コネクタ１００のアクチュエータ１３０が開いた状態を示す斜視図であり、図４は、図２に示す電気コネクタ１００のアクチュエータ１３０が開いた状態を示す斜視図である。図５は、図３に示す電気コネクタ１００の平面図である。
【００３３】
図１〜図５を参照すると、電気コネクタ１００は、回路基板１（図８参照）とケーブル１０（図８参照）を電気的に接続して電気回路を構成する。
【００３４】
通常、前述した電気回路を構成するためには、第１過程として、手作業で閉じたアクチュエータ１３０を回転させて開く過程が行われるが、本考案の電気コネクタ１００は、当該過程を必要としない構造を有する。
【００３５】
具体的には、回路基板１に実装された電気コネクタ１００のアクチュエータ１３０が閉じた状態でケーブル１０をケーブル収容部１１１に挿入すると、閉じたアクチュエータ１３０が回転して開きながらケーブル１０がケーブル収容部１１１に挿入される。その後、アクチュエータ１３０を閉じると、ケーブル１０の端子部がターミナル１２０の接続部１２２ａに接続された状態で固定される。よって、ケーブル１０を電気コネクタ１００に接続する作業がより単純化され、作業速度が向上する。
【００３６】
なお、電気コネクタ１００が実装される回路基板１には、リジッドな材質の回路基板１だけでなく、フレキシブルな材質のフレキシブル回路基板が含まれる。つまり、本実施形態においては、電気コネクタ１００がリジッドな回路基板１に実装された場合を例に挙げて説明しているが、本考案は、これに限定されるものではない。電気コネクタ１００は、フレキシブル回路基板に実装され、当該フレキシブル回路基板とケーブル１０を電気的に接続するように構成してもよい。
【００３７】
以下、前述したようにケーブル１０を電気コネクタ１００に接続する作業を単純化することのできる電気コネクタ１００についてより具体的に説明する。
【００３８】
図６は、図４に示す電気コネクタ１００の分解斜視図であり、図７は、図１に示す電気コネクタ１００の正面図であり、図８は、ケーブル１０が電気コネクタ１００に接続される過程を概念的に示す、図７のＡ−Ａ線断面図である。
【００３９】
図６〜図８を図１〜図５と共に参照すると、電気コネクタ１００は、ハウジング１１０、複数のターミナル１２０及びアクチュエータ１３０を含む。
【００４０】
ハウジング１１０は、電気コネクタ１００の筐体を形成する。ハウジング１１０は、一方向に長く延設される。ハウジング１１０は、複数のターミナル１２０のそれぞれの電気的絶縁のために、非導電性の合成樹脂材質からなる。
【００４１】
ハウジング１１０には、前方に開放されたケーブル収容部１１１、及びケーブル収容部１１１の後方に配置されるターミナル固定部１１２が備えられる。
【００４２】
ケーブル収容部１１１は、ケーブル１０の前端部が収容される空間を形成する。ケーブル収容部１１１は、ハウジング１１０の延長方向に長く延設される。ケーブル収容部１１１の前端部には、ケーブル１０の前端部の挿入をガイドするように内側に向けて傾斜したガイド面１１１ａが備えられてもよい。例えば、ガイド面１１１ａは、ケーブル収容部１１１の前端部の上面及び下面の少なくとも一方に備えられる。さらに、ガイド面１１１ａは、ケーブル収容部１１１の前端部の左側面及び右側面に備えられてもよい。
【００４３】
ターミナル固定部１１２は、ターミナル１２０を固定するように形成される。本実施形態においては、ターミナル１２０がハウジング１１０の後方からターミナル固定部１１２に挿入されて結合される。
【００４４】
ターミナル１２０は、導電性の金属材質からなり、ターミナル固定部１１２に装着及び固定される。
【００４５】
ターミナル１２０は、固定部１２１、下部アーム１２２、上部アーム１２３及びリード部１２４を含む。
【００４６】
固定部１２１は、ターミナル固定部１１２に装着される。
【００４７】
本実施形態においては、ターミナル１２０がハウジング１１０の後方からターミナル固定部１１２に挿入される際に、固定部１２１がターミナル固定部１１２に嵌められるように、固定部１２１には前方に開放された凹部１２１ａが備えられ、凹部１２１ａを規定する内面には固定突起１２１’が突設される。固定突起１２１’は、ターミナル固定部１１２に嵌められ、ターミナル１２０がターミナル固定部１１２に強固に固定されるようにする。
【００４８】
下部アーム１２２は、固定部１２１の下部から前方に延び、ケーブル１０の端子部に接続される接続部１２２ａを備える。
【００４９】
接続部１２２ａは、ケーブル収容部１１１の底面から突出し、加圧により下方に所定の弾性変形をするように形成される。このために、接続部１２２ａの下方に孔１１６又は溝を形成し、接続部１２２ａが弾性変形する空間を提供する。
【００５０】
接続部１２２ａは、ケーブル１０の端子部に接触する少なくとも１つの接続突起１２２ａ’を備える。本実施形態においては、接続部１２２ａが下部アーム１２２の延長方向に離隔して配置される複数の接続突起１２２ａ’を備える。しかし、本考案は、これに限定されるものではない。接続部１２２ａは、単一の接続突起１２２ａ’を備えてもよい。
【００５１】
上部アーム１２３は、固定部１２１の上部から前方に延び、下部アーム１２２に対向して配置される。上部アーム１２３は、挿入されるケーブル１０によりアクチュエータ１３０が加圧されて回転する際に、上方に加圧されるアクチュエータ１３０を支持するように形成される。
【００５２】
上部アーム１２３の端部は、ハウジング１１０に形成された収容凹部１１４に挿入される。収容凹部１１４は、上部アーム１２３の端部の上側を覆うように配置され、挿入されるケーブル１０によりアクチュエータ１３０が加圧されて回転する際に、上方に加圧されるアクチュエータ１３０による上部アーム１２３の離脱を防止する。
【００５３】
リード部１２４は、固定部１２１から後方に延びて回路基板１に実装される。リード部１２４の後端部は、アクチュエータ１３０が閉じた状態で、アクチュエータ１３０よりも後方にさらに突出するように形成されてもよい。この場合、アクチュエータ１３０が閉じた状態で、リード部１２４が回路基板１に実装された状態を目視で点検しやすいという利点がある。
【００５４】
アクチュエータ１３０は、ターミナル固定部１１２を覆うように配置される閉じた状態とターミナル固定部１１２を露出させる開いた状態間で回転可能に形成される。アクチュエータ１３０は、非導電性の合成樹脂材質からなる。
【００５５】
アクチュエータ１３０は、アクチュエータボディ１３１、支持軸１３２及びコンタクト部１３３を含む。
【００５６】
アクチュエータボディ１３１は、アクチュエータ１３０の筐体を形成する。アクチュエータボディ１３１は、ターミナル固定部１１２の延長方向に長く延設される。アクチュエータボディ１３１の一側には、リセス部１３７が形成されてもよい。リセス部１３７は、閉じた状態のアクチュエータ１３０を持ち上げる際に指を容易に挿入できるようにする。
【００５７】
支持軸１３２は、アクチュエータボディ１３１の左右両側から突設され、ターミナル固定部１１２の左右両側に備えられる支持軸収容部１５０に収容される。
【００５８】
コンタクト部１３３は、アクチュエータ１３０が閉じた状態で支持軸１３２より下側に位置し、アクチュエータ１３０が閉じた状態でケーブル収容部１１１に挿入されるケーブル１０により加圧されてアクチュエータ１３０が回転して開いた状態になるように作用する。
【００５９】
具体的には、アクチュエータ１３０が閉じた状態でケーブル１０をケーブル収容部１１１に挿入すると、支持軸１３２の下側に位置するコンタクト部１３３がケーブル１０により加圧され、アクチュエータ１３０が開く方向にトークが作用する。よって、ケーブル１０をケーブル収容部１１１に挿入する過程で、閉じたアクチュエータ１３０が回転して開きながらケーブル１０がケーブル収容部１１１に挿入される。
【００６０】
上記メカニズムを実現するために、ケーブル収容部１１１の底面からコンタクト部１３３までの間隙は、ケーブル１０の前端部の厚さより薄くしてもよい。この場合、ケーブル１０がケーブル収容部１１１の底面との接触を維持しながら挿入されてもケーブル１０の前端部がコンタクト部１３３に当たるので、コンタクト部１３３の加圧、及びそれによるアクチュエータ１３０の回転が行われるようになる。上記メカニズムによれば、ケーブル１０を電気コネクタ１００に接続する作業がより単純化され、作業速度が向上する。
【００６１】
図６及び図７に示すように、本実施形態においては、コンタクト部１３３が、アクチュエータボディ１３１の左右両側にそれぞれ形成され、ターミナル１２０の外側に配置される。アクチュエータ１３０が閉じた状態で、コンタクト部１３３の少なくとも一部は、接続部１２２ａと横方向に重なるように配置される。よって、ケーブル収容部１１１の底面からコンタクト部１３３までの間隙は、接続部１２２ａがケーブル収容部１１１の底面から突出した長さより短い。
【００６２】
一方、アクチュエータ１３０は、閉じた状態でケーブル１０を加圧する加圧部１３４をさらに含んでもよい。加圧部１３４は、接続部１２２ａと横方向に交互に配置され、アクチュエータ１３０が閉じた状態でケーブル１０を接続部１２２ａに向けて加圧するように形成される。加圧部１３４は、接続部１２２ａと横方向に重ならないように配置される。
【００６３】
コンタクト部１３３は、加圧部１３４の左右両側にそれぞれ配置され、加圧部１３４より下方に突出するように形成される。ケーブル１０の前端部がケーブル収容部１１１に完全に挿入された状態で、コンタクト部１３３は、ケーブル１０の端子部の外側に位置する。
【００６４】
一方、アクチュエータ１３０は、閉じた状態でハウジング１１０に係止される係止突起１３６をさらに含んでもよい。係止突起１３６は、アクチュエータボディ１３１の左右両側から突設され、アクチュエータ１３０が閉じた状態でハウジング１１０の係止凹部１１５に挿入されてアクチュエータ１３０をハウジング１１０にロックする。よって、アクチュエータ１３０が閉じた状態で、意図しない外力によりアクチュエータ１３０が開くことを制限することができる。
【００６５】
アクチュエータ１３０が閉じた状態で、コンタクト部１３３がケーブル収容部１１１に挿入されるケーブル１０により加圧されると、係止突起１３６は、係止凹部１１５から分離される。すなわち、アクチュエータ１３０は、ロックが解除され、開いた状態になるように回転する。
【００６６】
以下、このようにケーブル１０を電気コネクタ１００に接続する過程でケーブル１０の端子部の損傷を最小限に抑える構造について説明する。
【００６７】
図９は、ケーブル１０がケーブル収容部１１１に挿入される過程でアクチュエータ１３０が後退するメカニズムを概念的に示す、図４のＢ−Ｂ線断面図である。
【００６８】
図９を図８と共に参照すると、アクチュエータ１３０は、ケーブル１０をケーブル収容部１１１に挿入する過程で、所定の範囲内で後方に押し出されながら回転するように構成される。すなわち、アクチュエータ１３０は、閉じた状態から開いた状態に切り替えられる際に、接続部１２２ａに対して相対移動する。よって、ケーブル１０をケーブル収容部１１１に挿入する過程で、ターミナル１２０とアクチュエータ１３０との干渉により発生し得るケーブル１０の端子部の損傷を最小限に抑えることができる。
【００６９】
このために、支持軸１３２を収容する支持軸収容部１５０は、ハウジング１１０の前後方向に延びた形状を有し、支持軸１３２は、アクチュエータ１３０が閉じた状態から開いた状態に切り替えられる際に、支持軸収容部１５０の前側から後側に移動するようにする。
【００７０】
本実施形態においては、支持軸収容部１５０がフック１４０とハウジング１１０とにより規定される構造を有する。
【００７１】
フック１４０は、ハウジング１１０の両側に形成されたフック固定部１１３に装着され、回路基板１に固定されてハウジング１１０を回路基板１に強固に固定するように形成される。フック１４０は、金属材質からなり、回路基板１に実装されるようにしてもよい。
【００７２】
フック１４０は、フックボディ１４１及び延長アーム１４２を含む。
【００７３】
フックボディ１４１は、フック固定部１１３に挿入される。本実施形態においては、フック１４０が前方に開口したフック固定部１１３に挿入されて嵌合される構造を有する。
【００７４】
延長アーム１４２は、フックボディ１４１から延びて支持軸収容部１５０内に位置する支持軸１３２を覆うように配置される。延長アーム１４２の端部は、ハウジング１１０の固定凹部１１７に挿入されるようにしてもよい。延長アーム１４２の一部は、ハウジング１１０の上側から露出するようにしてもよい。
【００７５】
上記構造により、フック１４０とハウジング１１０とは、閉ループ状の支持軸収容部１５０を形成する。支持軸収容部１５０は、ハウジング１１０の前後方向に延びた形状を有する。
【００７６】
図８に示すように、アクチュエータ１３０は、各加圧部１３４間に配置される軸部１３５をさらに含む。その配置上、軸部１３５は、アクチュエータボディ１３１の左右両側から突設された支持軸１３２間に配置される。軸部１３５の中心軸は、支持軸１３２の中心軸に一致する。軸部１３５は、上部アーム１２３に覆われるように配置される。
【００７７】
ケーブル収容部１１１に挿入されるケーブル１０がコンタクト部１３３を加圧し、閉じた状態のアクチュエータ１３０が後方に押し出されながら回転して開いた状態になる過程で、軸部１３５は、上部アーム１２３の前端部から後方に移動する。
【００７８】
上記メカニズムを実現するために、上部アーム１２３は、延長部１２３ａ及び屈曲部１２３ｂを含む。
【００７９】
延長部１２３ａは、固定部１２１から前方に延びる。
【００８０】
屈曲部１２３ｂは、延長部１２３ａから上方に屈曲されてから前方に屈曲されて前方に延びた形状を有する。屈曲部１２３ｂは、接続部１２２ａの上方に線状に延びる延長面を備える。
【００８１】
ケーブル収容部１１１に挿入されるケーブル１０がコンタクト部１３３を加圧し、閉じた状態のアクチュエータ１３０が後方に押し出されながら回転して開いた状態になる過程で、軸部１３５は、延長面に沿って後方に移動する。アクチュエータ１３０が所定角度回転すると、軸部１３５が屈曲部１２３ｂに係止されるようにしてもよい。すなわち、軸部１３５が屈曲部１２３ｂに係止されることにより、アクチュエータ１３０の回転角度が制限されるようにしてもよい。
【００８２】
以下、コンタクト部１３３が他の位置に形成された他の実施形態について説明する。
【００８３】
図１０は、本考案の他の実施形態による電気コネクタ２００の正面図である。
【００８４】
図１０に示すように、コンタクト部２３３は、接続部２２２ａと横方向に交互に配置され、アクチュエータ２３０が閉じた状態でケーブル１０を接続部２２２ａに向けて加圧するように形成される。すなわち、本実施形態におけるコンタクト部２３３は、図１〜図９を参照して前述した実施形態における加圧部１３４に対応する構成であると理解することができる。
【００８５】
ただし、前述した実施形態においては、ケーブル収容部１１１の底面から加圧部１３４までの間隙がケーブル１０の前端部の厚さより厚くなっており、ケーブル１０がケーブル収容部１１１の底面との接触を維持しながら挿入される場合、ケーブル１０の前端部が加圧部１３４に当たらないように構成される。
【００８６】
それに対して、本実施形態においては、ケーブル収容部２１１の底面からコンタクト部２３３までの間隙がケーブル１０の前端部の厚さより薄くなっており、ケーブル１０がケーブル収容部２１１の底面との接触を維持しながら挿入される場合、ケーブル１０の前端部がコンタクト部２３３に当たり、コンタクト部２３３の加圧、及びそれによるアクチュエータ２３０の回転が行われるように構成される。
【００８７】
アクチュエータ２３０が閉じた状態で、コンタクト部２３３の少なくとも一部は、接続部２２２ａと横方向に重なるように配置される。よって、ケーブル収容部２１１の底面からコンタクト部２３３までの間隙は、接続部２２２ａがケーブル収容部２１１の底面から突出した長さより短く形成される。
【００８８】
図１１は、本考案のさらに他の実施形態による電気コネクタ３００の正面図であり、図１２は、ケーブル１０が電気コネクタ３００に接続される過程を概念的に示す、図１１のＣ−Ｃ線断面図である。
【００８９】
図１１及び図１２に示すように、コンタクト部３３３は、アクチュエータボディ３３１の左右両側にそれぞれ形成され、ターミナル３２０の外側に配置される。コンタクト部３３３は、アクチュエータ３３０が閉じた状態で下方に突出するように配置される。
【００９０】
ケーブル１０がケーブル収容部３１１に完全に挿入された後、アクチュエータ３３０が閉じた状態で、コンタクト部３３３は、ケーブル１０の左右両側に形成されたロック溝１０ａに挿入される。よって、ケーブル１０がケーブル収容部３１１から引き出される方向に力を受けても、ロック溝１０ａがコンタクト部３３３に係止され、ケーブル１０の引き出しが制限される。
【００９１】
アクチュエータ３３０が閉じた状態で、コンタクト部３３３の少なくとも一部は、接続部３２２ａと横方向に重なるように配置される。本実施形態においては、ケーブル収容部３１１の底面からコンタクト部３３３までの間隙の方が、接続部３２２ａがケーブル収容部３１１の底面から突出した長さより短い。しかし、本考案は、これに限定されるものではない。コンタクト部３３３は、ケーブル収容部３１１の底面に形成された凹部（図示せず）に挿入されるように構成されてもよい。
【符号の説明】
【００９２】
１０  ケーブル
１００、２００、３００  電気コネクタ
１１０、２１０、３１０  ハウジング
１１１、２１１、３１１  ケーブル収容部
１１２、３１２  ターミナル固定部
１１３、３１３  フック固定部
１２２ａ、２２２ａ、３２２ａ  接続部
１２０、２２０、３２０  ターミナル
１３０、２３０、３３０  アクチュエータ
１３１、３３１  アクチュエータボディ
１３２  支持軸
１３３、２３３、３３３  コンタクト部
１４０、２４０、３４０  フック
１５０  支持軸収容部
【図１】
0003233207.tif 000003
【図２】
0003233207.tif 000004
【図３】
0003233207.tif 000005
【図４】
0003233207.tif 000006
【図５】
0003233207.tif 000007
【図６】
0003233207.tif 000008
【図７】
0003233207.tif 000009
【図８】
0003233207.tif 000010
【図９】
0003233207.tif 000011
【図１０】
0003233207.tif 000012
【図１１】
0003233207.tif 000013
【図１２】
0003233207.tif 000014